(57)【特許請求の範囲】
【請求項１】
基板上に実装されるスイッチ付き同軸コネクタであって、
第１及び第２の同軸プラグの中心導体を上方から受け入れ可能な孔を有する絶縁ハウジングと、
前記絶縁ハウジングの外側に設けられ、前記第１及び第２の同軸プラグの外部導体が着脱可能な外部導体と、
前記孔の下方に設けられ、前記第１の同軸プラグの中心導体が前記絶縁ハウジングの前記孔に嵌合しているとき、前記第１の同軸プラグの中心導体の外延部が接触する第１の接触部を上面に有するとともに、第３の接触部を下面に有する第１の端子と、
前記孔の下方かつ前記第１の端子の下方に設けられ、前記第１及び第２の同軸プラグの中心導体の受け入れによって下方に弾性変位可能であるとともに、前記第２の同軸プラグの中心導体が前記絶縁ハウジングの前記孔に嵌合しているとき、前記第２の同軸プラグの中心導体が接触する第２の接触部を上面に有し、さらに前記弾性変位にともなって前記第３の接触部と接離する第４の接触部を上面に有する第２の端子と、
前記第１の端子と前記第２の端子との間に設けられた絶縁物と、を備え、
前記第１の同軸プラグの中心導体の先端部は、前記第２の同軸プラグの中心導体の先端部よりも径方向に大きな外延部を有し、
前記第１及び第２の同軸プラグの中心導体のいずれもが前記絶縁ハウジングの前記孔に嵌合していないとき、前記第３の接触部と前記第４の接触部とが接触して前記第１の端子と前記第２の端子とが電気的に接続され、
前記第１の同軸プラグの中心導体が前記絶縁ハウジングの前記孔に嵌合すると、前記第１の同軸プラグの中心導体の先端部が前記絶縁物に当接して前記絶縁物を押し下げるとともに前記絶縁物により前記第２の端子が押し下げられて前記第４の接触部が前記第３の接触部から離間し、前記第１の端子と前記第２の端子とが電気的に遮断され、前記第１の同軸プラグの中心導体と前記第１の端子とが電気的に接続され、
前記第２の同軸プラグの中心導体が前記絶縁ハウジングの前記孔に嵌合すると、前記第２の同軸プラグの中心導体により前記第２の端子が押し下げられることにより前記第４の接触部が前記第３の接触部から離間し、前記第１の端子と前記第２の端子とが電気的に遮断され、前記第２の同軸プラグの中心導体と前記第２の端子とが電気的に接続される、ように構成されていることを特徴とする同軸コネクタ。
【請求項２】
基板上に実装されるスイッチ付き同軸コネクタであって、
第１及び第２の同軸プラグの中心導体を上方から受け入れ可能な孔を有する絶縁ハウジングと、
前記絶縁ハウジングの外側に設けられ、前記第１及び第２の同軸プラグの外部導体が着脱可能な外部導体と、
前記孔の下方に設けられ、前記第１の同軸プラグの中心導体が前記絶縁ハウジングの前記孔に嵌合しているとき、前記第１の同軸プラグの中心導体の外延部が接触する第１の接触部を上面に有するとともに、第３の接触部を下面に有する第１の端子と、
前記孔の下方かつ前記第１の端子の下方に設けられ、前記第１及び第２の同軸プラグの中心導体の受け入れによって下方に弾性変位可能であるとともに、前記第２の同軸プラグの中心導体が前記絶縁ハウジングの前記孔に嵌合しているとき、前記第２の同軸プラグの中心導体が接触する第２の接触部を上面に有し、さらに前記弾性変位にともなって前記第３の接触部と接離する第４の接触部を上面に有する第２の端子と、
前記第１の端子と前記第２の端子との間に設けられた絶縁物と、を備え、
前記第１の同軸プラグの中心導体の先端部は、前記第２の同軸プラグの中心導体の先端部よりも径方向に大きな外延部を有し、
前記第１及び第２の同軸プラグの中心導体のいずれもが前記絶縁ハウジングの前記孔に嵌合していないとき、前記第３の接触部と前記第４の接触部とが接触して前記第１の端子と前記第２の端子とが電気的に接続され、
前記第１の同軸プラグの中心導体が前記絶縁ハウジングの前記孔に嵌合すると、前記第１の同軸プラグの中心導体の先端部が前記第１の端子に当接して前記第１の端子が弾性変位し、前記第１の端子の弾性変位により前記絶縁物を押し下げるとともに前記絶縁物により前記第２の端子が押し下げられて前記第４の接触部が前記第３の接触部から離間し、前記第１の端子と前記第２の端子とが電気的に遮断され、前記第１の同軸プラグの中心導体と前記第１の端子とが電気的に接続され、
前記第２の同軸プラグの中心導体が前記絶縁ハウジングの前記孔に嵌合すると、前記第２の同軸プラグの中心導体により前記第２の端子が押し下げられることにより前記第４の接触部が前記第３の接触部から離間し、前記第１の端子と前記第２の端子とが電気的に遮断され、前記第２の同軸プラグの中心導体と前記第２の端子とが電気的に接続され、
前記絶縁ハウジングは、前記孔の下方に横長の空間を有し、前記前記第２の端子が押し下げられるときに、前記空間を形成する前記絶縁ハウジングの底側の内壁によって前記第２の端子の変位が規制される、ように構成されていることを特徴とする同軸コネクタ。
【請求項３】
基板上に実装され、同軸プラグが着脱可能なスイッチ付き同軸コネクタであって、
前記同軸プラグの中心導体を上方から受け入れ可能な孔を有する絶縁ハウジングと、
前記絶縁ハウジングの外側に設けられ、前記同軸プラグの外部導体が着脱可能な外部導体と、
前記孔の下方に設けられる第１の端子と、
前記第１の端子の下方に設けられ、前記同軸プラグの中心導体の受け入れによって下方に弾性変位可能である第２の端子と、を備え、
前記第１の端子は、前記孔内に前記同軸プラグの中心導体と接触する第１の接触部を上面に有するとともに、下面に第２の端子と接触する第３の接触部を有し、
前記第２の端子は、前記第１の端子と接触する第２の接触部と、前記同軸プラグの中心導体との接触部の上面に絶縁物を有しており、
前記同軸プラグの中心導体が前記絶縁ハウジングの前記孔に嵌合しているとき、前記同軸プラグの中心導体が前記第１の接触部に接触して電気的に接続され、前記第２の端子の前記絶縁物に接触して前記第２の端子を下方に弾性変位させるとともに前記第１の端子との接触を接離させることを特徴とする同軸コネクタ。
【請求項４】
基板上に実装され、同軸プラグが着脱可能なスイッチ付き同軸コネクタであって、
前記同軸プラグの中心導体を上方から受け入れ可能な孔を有する絶縁ハウジングと、
前記絶縁ハウジングの外側に設けられ、前記同軸プラグの外部導体が着脱可能な外部導体と、
前記孔の下方に設けられる第１の端子と、
前記第１の端子の下方に設けられ、前記同軸プラグの中心導体の受け入れによって下方に弾性変位可能である第２の端子と、
前記第１の端子と前記第２の端子との間に設けられた絶縁物と、を備え、
前記第１の端子は、前記孔内に前記同軸プラグの中心導体と接触する第１の接触部を上面に有するとともに、下面に第２の端子と接触する第３の接触部を有し、
前記第２の端子は、前記第１の端子と接触する第２の接触部を有し、
前記同軸プラグの中心導体が前記絶縁ハウジングの前記孔に嵌合しているとき、前記同軸プラグの中心導体が前記第１の接触部に接触して電気的に接続され、前記第１の端子の弾性変位によって前記絶縁物が押し下げられて前記第２の端子を下方に弾性変位させるとともに前記第１の端子との接触を接離させ、
前記絶縁ハウジングは、前記孔の下方に横長の空間を有し、前記前記第２の端子が押し下げられるときに、前記空間を形成する前記絶縁ハウジングの底側の内壁によって前記第２の端子の変位が規制されることを特徴とする同軸コネクタ。
【請求項５】
基板上に実装されるスイッチ付き同軸コネクタであって、
第１及び第２の同軸プラグの中心導体を上方から受け入れ可能な孔を有する絶縁ハウジングと、
前記絶縁ハウジングの外側に設けられ、前記第１及び第２の同軸プラグの外部導体が着脱可能な外部導体と、
前記孔の下方に設けられ、前記第１の同軸プラグの中心導体の受け入れによって下方に弾性変位可能であり、前記第１の同軸プラグの中心導体が前記絶縁ハウジングの前記孔に嵌合しているとき、前記第１の同軸プラグの中心導体の外延部が接触する第１の接触部を上面に有するとともに、第３の接触部を下面に有する第１の端子と、
前記孔の下方かつ前記第１の端子の下方に設けられ、前記第１及び第２の同軸プラグの中心導体の受け入れによって下方に弾性変位可能であり、前記第２の同軸プラグの中心導体が前記絶縁ハウジングの前記孔に嵌合しているとき、前記第２の同軸プラグの中心導体が接触する第２の接触部を上面に有し、さらに前記弾性変位にともなって前記第３の接触部と接離する第４の接触部を上面に有する第２の端子と、を備え、
前記第１の同軸プラグの中心導体の先端部は、絶縁物と、前記第２の同軸プラグの中心導体の先端部よりも径方向に大きな外延部とを有し、
前記第１及び第２の同軸プラグの中心導体のいずれもが前記絶縁ハウジングの前記孔に嵌合していないとき、前記第３の接触部と第４の接触部とが接触して前記第１の端子と前記第２の端子とが電気的に接続され、
前記第１の同軸プラグの中心導体が前記絶縁ハウジングの前記孔に嵌合すると、前記第１の同軸プラグの中心導体の外延部が前記第１の接触部に当接し、前記第１の同軸プラグの前記絶縁物により前記第２の端子が押し下げられることにより前記第４の接触部が前記第３の接触部から離間し、前記第１の端子と前記第２の端子とが電気的に遮断され、前記第１の同軸プラグの中心導体と前記第１の端子とが電気的に接続され、
前記第２の同軸プラグの中心導体が前記絶縁ハウジングの前記孔に嵌合すると、前記第２の同軸プラグの中心導体により前記第２の端子が押し下げられることにより前記第４の接触部が前記第３の接触部から離間し、前記第１の端子と前記第２の端子とが電気的に遮断され、前記第２の同軸プラグの中心導体と前記第２の端子とが電気的に接続され、
前記第１の端子は、前記第１及び第２の同軸プラグの中心導体のいずれもが前記絶縁ハウジングの前記孔に嵌合していないとき、前記絶縁ハウジングの孔の下方において、上方に向かって屈曲している、ように構成されていることを特徴とする同軸コネクタ。
【請求項６】
前記第１の端子は、前記第１及び第２の同軸プラグの中心導体のいずれもが前記絶縁ハウジングの前記孔に嵌合していないとき、前記絶縁ハウジングの孔の下方において、上方に向かって屈曲していることを特徴とする請求項１〜４のいずれか１項に記載の同軸コネクタ。
【請求項７】
前記第１の端子は、前記絶縁ハウジングの孔の下方に、前記絶縁ハウジングの孔よりも小さい開口を有し、前記第１の接触部は、前記第１の端子の開口の周辺に設けられていることを特徴とする請求項１〜４、６のいずれか１項に記載の同軸コネクタ。
【請求項８】
前記絶縁物は、前記第２の同軸プラグの中心導体が前記絶縁ハウジングの前記孔に嵌合しているとき、前記第２の同軸プラグの中心導体の先端部が当接する部分以外の部分に設けられていることを特徴とする請求項１〜４、６、７のいずれか１項に記載の同軸コネクタ。
【請求項９】
前記絶縁物は、前記第１の同軸プラグの中心導体が前記絶縁ハウジングの前記孔に嵌合しているとき、前記第１の同軸プラグの中心導体の先端部の一部が当接する部分に設けられていることを特徴とする請求項１に記載の同軸コネクタ。
【請求項１０】
前記絶縁物は、絶縁皮膜であることを特徴とする請求項１〜９のいずれか１項に記載の同軸コネクタ。
【請求項１１】
前記絶縁物は、一体成形されたものであることを特徴とする請求項１〜９のいずれか１項に記載の同軸コネクタ。
【発明の詳細な説明】
【技術分野】
【０００１】
本発明は、基板上に実装される同軸コネクタ、特に、高周波信号回路、アンテナ等を切り換えるためのスイッチ機構を備えたスイッチ付き同軸コネクタに関する。
【背景技術】
【０００２】
携帯電話機のような携帯式の情報通信機器において、内蔵される高周波回路の検査用にスイッチ付き同軸コネクタが広く使用されている。従来のスイッチ付き同軸コネクタとして、例えば、同軸プラグの中心導体を受入れ可能な孔を有する絶縁ハウジングと、この絶縁ハウジングの外側に設けられた外部導体と、孔の下方に設けられた固定端子及び可動端子とから成るものがある。さらに、固定端子は、接触部を備え、可動端子は、絶縁ハウジングに固定される固定部と、同軸プラグの中心導体と当接可能且つ接触部と接触可能な弾性部とを備えている（例えば、特開２００７−１４１６６５号公報（特許文献１）等参照）。
【０００３】
この従来のスイッチ付き同軸コネクタにおいて、同軸プラグが装着されていないときは、可動端子は弾性部の弾性力により固定端子の接触部に押し付けられて、固定端子と可動端子は電気的に接続された状態を保持する。一方、同軸プラグが装着されているときは、同軸プラグの中心導体の下端部は、コネクタの縦孔に挿通する。この状態で中心導体は弾性部に当接し、弾性部は中心導体により押し下げられ、弾性変形し、接触部から離間し、固定端子と可動端子は電気的に切り離されると同時に、中心導体と可動端子が接続された状態となる。これにより、可動端子から固定端子へ流れていた信号を可動端子から中心導体へ流して、可動端子に接続されている高周波回路を検査することができる。
【先行技術文献】
【特許文献】
【０００４】
【特許文献１】特開２００７−１４１６６５号公報
【特許文献２】特開２００８−２２６５８８号公報
【発明の概要】
【発明が解決しようとする課題】
【０００５】
近年、携帯式の情報通信機器の小型化などの要請が高まり、高周波回路や中央処理回路などの内部回路のみならず、アンテナ等の実装部品の小型化や実装技術の改善が必要となってきた。そのため、高周波回路やアンテナ等を切り換えてそれらの両方の測定や検査を行う必要性が高まってきた。従来のスイッチ付き同軸コネクタは、集積回路、電子部品等を実装した後に検査を行う場合、例えばアンテナを一時的に切り離して高周波回路のみに接続して検査を行うことは可能であったが、高周波回路を一時的に切り離してアンテナのみに接続して検査を行うことはできなかった。
【０００６】
そこで、複数の端子に切り換えられるスイッチ付き同軸コネクタの開発が必要になってくる。このような高周波回路とアンテナの両方の特性を測定可能なスイッチ付き同軸コネクタとして、例えば、特開２００８−２２６５８８号公報（特許文献２）に記載された技術がある。特許文献２記載のスイッチ付き同軸コネクタは、プラグ側に樹脂製突起を設け、コネクタ嵌合時に、樹脂製突起がレセプタクルの第１スイッチバネに当接して押し下げて第１スイッチバネとの電気接続を遮断し、第２スイッチバネとの電気接続を維持し、また逆に、樹脂製突起がレセプタクルの第２スイッチバネに当接して押し下げて第２スイッチバネとの電気接続を遮断し、第１スイッチバネとの電気接続を維持することによって、プラグの樹脂製突起の位置を替えて電気接続を切り換えるものである。
【０００７】
しかしながら、特許文献２記載のスイッチ付き同軸コネクタは、同軸コネクタの構造が非常に複雑になり製造効率も低く、大型化するものであった。また、プラグコネクタの嵌合時の方向が決められているので、使い勝手が悪かった。
【０００８】
そこで、本発明の目的は、高生産性、低コストで、操作性が良く、複数端子の切り替えが可能なスイッチ付き同軸コネクタを提供することにある。本発明の前記並びにその他の目的と新規な特徴は、本明細書の記述及び添付図面から明らかになるであろう。
【課題を解決するための手段】
【０００９】
本願において開示される発明のうち、代表的なものの概要を簡単に説明すれば、次のとおりである。
【００１０】
すなわち、本発明に係る同軸コネクタは、基板上に実装されるスイッチ付き同軸コネクタであって、第１及び第２の同軸プラグの中心導体を上方から受け入れ可能な孔を有する絶縁ハウジングと、前記絶縁ハウジングの外側に設けられ、前記第１及び第２の同軸プラグの外部導体が着脱可能な外部導体と、前記孔の下方に設けられた第１の端子と、前記孔の下方かつ前記第１の端子の下方に設けられ、前記同軸プラグの中心導体の受け入れによって下方に弾性変位可能な第２の端子と、前記第１の端子と前記第２の端子との間に設けられた絶縁物と、を備えるものである。
さらに、前記第１の同軸プラグの中心導体の先端部は、前記第２の同軸プラグの中心導体の先端部よりも径方向に大きな外延部を有し、前記第１の端子は、前記第１の同軸プラグの中心導体が前記絶縁ハウジングの前記孔に嵌合しているとき、前記第１の同軸プラグの中心導体の外延部が接触する第１の接触部を上面に有し、前記第２の端子は、前記第２の同軸プラグの中心導体が前記絶縁ハウジングの前記孔に嵌合しているとき、前記第２の同軸プラグの中心導体が接触する第２の接触部を上面に有し、前記第１の端子は、前記第１及び第２の同軸プラグの中心導体のいずれもが前記絶縁ハウジングの前記孔に嵌合していないとき、前記第２の端子の後記第４の接触部に接触する第３の接触部を下面に有し、前記第２の端子は、前記第１及び第２の同軸プラグの中心導体のいずれもが前記絶縁ハウジングの前記孔に嵌合していないとき、前記第１の端子の前記第３の接触部に接触する第４の接触部を上面に有する。
そして、前記第１及び第２の同軸プラグの中心導体のいずれもが前記絶縁ハウジングの前記孔に嵌合していないとき、前記第３の接触部と第４の接触部とが接触し、前記第１の端子と前記第２の端子とが電気的に接続され、前記第１の同軸プラグの中心導体が前記絶縁ハウジングの前記孔に嵌合すると、前記第１の同軸プラグの中心導体の外延部が前記第１の接触部に当接し、前記絶縁物により前記第２の端子が押し下げられることにより前記第４の接触部が前記第３の接触部から離間し、前記第１の端子と前記第２の端子とが電気的に遮断され、前記第１の同軸プラグの中心導体と前記第１の端子とが電気的に接続され、前記第２の同軸プラグの中心導体が前記絶縁ハウジングの前記孔に嵌合すると、前記第２の同軸プラグの中心導体が前記第２の接触部に当接し、前記第２の同軸プラグの中心導体により前記第２の端子が押し下げられることにより前記第４の接触部が前記第３の接触部から離間し、前記第１の端子と前記第２の端子とが電気的に遮断され、前記第２の同軸プラグの中心導体と前記第２の端子とが電気的に接続される。
【００１１】
また、本発明に係る同軸コネクタは、基板上に実装されるスイッチ付き同軸コネクタであって、第１及び第２の同軸プラグの中心導体を上方から受け入れ可能な孔を有する絶縁ハウジングと、前記絶縁ハウジングの外側に設けられ、前記第１及び第２の同軸プラグの外部導体が着脱可能な外部導体と、前記孔の下方に設けられ、前記同軸プラグの中心導体の受け入れによって下方に弾性変位可能な第１の端子と、前記孔の下方かつ前記第１の端子の下方に設けられ、前記同軸プラグの中心導体の受け入れによって下方に弾性変位可能な第２の端子と、を備えるものである。
さらに、前記第１の同軸プラグの中心導体の先端部は、絶縁物と、前記第２の同軸プラグの中心導体の先端部よりも径方向に大きな外延部とを有し、前記第１の端子は、前記第１の同軸プラグの中心導体が前記絶縁ハウジングの前記孔に嵌合しているとき、前記第１の同軸プラグの中心導体の外延部が接触する第１の接触部を上面に有し、前記第２の端子は、前記第２の同軸プラグの中心導体が前記絶縁ハウジングの前記孔に嵌合しているとき、前記第２の同軸プラグの中心導体が接触する第２の接触部を上面に有し、前記第１の端子は、前記第１及び第２の同軸プラグの中心導体のいずれもが前記絶縁ハウジングの前記孔に嵌合していないとき、前記第２の端子の後記第４の接触部に接触する第３の接触部を下面に有し、前記第２の端子は、前記第１及び第２の同軸プラグの中心導体のいずれもが前記絶縁ハウジングの前記孔に嵌合していないとき、前記第１の端子の前記第３の接触部に接触する第４の接触部を上面に有する。
そして、前記第１及び第２の同軸プラグの中心導体のいずれもが前記絶縁ハウジングの前記孔に嵌合していないとき、前記第３の接触部と第４の接触部とが接触し、前記第１の端子と前記第２の端子とが電気的に接続され、前記第１の同軸プラグの中心導体が前記絶縁ハウジングの前記孔に嵌合すると、前記第１の同軸プラグの中心導体の外延部が前記第１の接触部に当接し、前記第１の同軸プラグの前記絶縁物により前記第２の端子が押し下げられることにより前記第４の接触部が前記第３の接触部から離間し、前記第１の端子と前記第２の端子とが電気的に遮断され、前記第１の同軸プラグの中心導体と前記第１の端子とが電気的に接続され、前記第２の同軸プラグの中心導体が前記絶縁ハウジングの前記孔に嵌合すると、前記第２の同軸プラグの中心導体が前記第２の接触部に当接し、前記第２の同軸プラグの中心導体により前記第２の端子が押し下げられることにより前記第４の接触部が前記第３の接触部から離間し、前記第１の端子と前記第２の端子とが電気的に遮断され、前記第２の同軸プラグの中心導体と前記第２の端子とが電気的に接続される。
【発明の効果】
【００１２】
本発明によれば、複数端子の切り替えが可能なスイッチ付き同軸コネクタにおいて
（１）高生産性、低コストで生産できる。
（２）挿着時の回転角度の制限がなく操作性良くできる。
【図面の簡単な説明】
【００１３】
【図１】本発明の一実施の形態による同軸コネクタの全体構成を示す斜視図である。
【図２】図１のＡ−Ａ切断面における断面図である。
【図３】図１のＢ−Ｂ切断面における断面図である。
【図４】第１の端子の構成例を示す斜視図である。
【図５】本発明の他の実施の形態による同軸コネクタを示す断面図である。
【図６】第２の端子の構成例を示す斜視図である。
【図７】本発明の他の実施の形態による同軸コネクタの第２の端子の上面に絶縁物を設けた構成例を示す斜視図である。
【図８】外延部を持つ同軸プラグを同軸コネクタに嵌合した状態を示す図である。
【図９】外延部を持たない同軸プラグを同軸コネクタに嵌合した状態を示す図である。
【図１０】本発明の他の実施の形態による同軸コネクタの第１の端子の下面と第２の端子の上面の両方に絶縁物を設けた構成例を示す斜視図である。
【図１１】本発明の他の実施の形態による同軸コネクタの第１の端子の下面に絶縁物を設けた構成例を示す斜視図である。
【図１２】第１の端子の他の構成例を示す斜視図である。
【図１３】本発明の他の実施の形態による同軸コネクタに同軸プラグを嵌合した状態を示す図である。
【図１４】本発明の他の実施の形態による同軸コネクタに同軸プラグを嵌合した状態を示す図である。
【図１５】本発明の他の実施の形態による同軸コネクタを示す断面図である。
【発明を実施するための形態】
【００１４】
以下、本発明の実施の形態を図面に基づいて詳細に説明する。なお、実施の形態を説明するための全図において、同一部材には原則として同一の符号を付し、その繰り返しの説明は省略する。以下の実施の形態においては便宜上その必要があるときは、複数のセクションまたは実施の形態に分割して説明するが、特に明示した場合を除き、それらは互いに無関係なものではなく、一方は他方の一部または全部の変形例、詳細、補足説明等の関係にある。また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００１５】
図１は本発明の一実施の形態による同軸コネクタの全体構成を示す斜視図、図２は図１のＡ−Ａ切断面による断面図、図３は図１のＢ−Ｂ切断面による断面図である。まず、図１〜図３により、本実施の形態による同軸コネクタの構成を説明する。本実施の形態による同軸コネクタ１００は、基板上に実装されるスイッチ付き同軸コネクタであって、同軸プラグ７００ａ、７００ｂ（図８、図９等参照）の中心導体７０１ａ、７０１ｂを上方から受け入れ可能な縦孔２０３を有する絶縁ハウジング２００と、絶縁ハウジング２００の外側に設けられ、同軸プラグ７００ａ、７００ｂの外部導体７０２ａ、７０２ｂが着脱可能な外部導体３００と、縦孔２０３の下方に設けられた第１の端子４００と、縦孔２０３の下方かつ第１の端子４００の下方に設けられた第２の端子５００と、第１の端子４００と第２の端子５００との間に設けられた絶縁物６０１などから構成される。同軸コネクタ１００は、基板上に実装可能であり、外部に露出した第１の端子４００の基板接続部４０１や第２の端子５００の基板接続部５０１を通じて基板に接続されることにより、基板回路の一部を形成し得る。
【００１６】
本実施の形態による同軸コネクタ１００は、携帯電話機、スマートフォン、ノート型パーソナルコンピュータ、タブレット型パーソナルコンピュータのような携帯式の情報通信機器において、内蔵される高周波回路およびアンテナの特性試験、検査用などに使用される。また、高周波回路用に、外部導体３００はシールドされ、第１の端子４００及び第２の端子５００はインピーダンス整合がとられている。
【００１７】
絶縁ハウジング２００は、例えば、プラスチック等の絶縁性の樹脂で形成される。絶縁ハウジング２００は、本体部分が略直方体形状であり、その略中心の上部が円筒状となっている。また、絶縁ハウジング２００の上面には、すり鉢状の凹部２０２が形成され、この凹部２０２の底面中央部には、同軸プラグ７００ａ、７００ｂの中心導体７０１ａ、７０１ｂを上方から受け入れ可能な縦孔２０３が穿設されている。さらに、この縦孔２０３の下方には、この縦孔２０３と連通する横長の空間２０４が形成され、同軸プラグ７００ａ、７００ｂが装着されると、中心導体７０１ａ、７０１ｂの先端部が縦孔２０３を挿通し、空間２０４に達するようになっている。なお、絶縁ハウジング２００は、例えば２つの構成部品に分けることが可能であり、第１の端子４００及び第２の端子５００などを組み込むのに好適な構成となっている。
【００１８】
外部導体３００は、例えば、金属板等の導電性材料を打ち抜き及び折り曲げ加工することにより形成される。外部導体３００の上面には、円筒状の上部３０１が設けられている。同軸プラグ挿入時に、同軸プラグ側の外部導体７０２ａ、７０２ｂの下端部が上部３０１に当接し、同軸コネクタ１００の外部導体３００と電気接続されるようになっている。また、外部導体３００の上部３０１の外周面には半円断面の環状溝３０２が形成されており、他のタイプの同軸プラグ（図示せず）挿入時に、同軸プラグ側の外部導体７０２ａ、７０２ｂの下端部がこの環状溝３０２に嵌合可能となっている。
【００１９】
図４は、第１の端子４００の構成例を示す斜視図である。第１の端子４００は、例えば、ベリリウム銅、りん青銅、三元銅、コルソン銅等の導電性材料の金属板を打ち抜き及び折り曲げ加工することにより形成される。第１の端子４００は、平板状の固定部４０３と、固定部４０３から絶縁ハウジング２００の中心へ向けて延出した延出部４０４と、固定部４０３の基端側から下方にコ字状に曲成された端部に設けた基板接続部４０１と、それらの間の腕部４０５などを有する。延出部４０４は、縦孔２０３の真下に、該縦孔２０３よりも径の小さな円形状の孔４０７を有し、同軸プラグ７００ｂの細い中心導体７０１ｂが通り抜けられるようになっている。固定部４０３の側部には楔状の突起４０６が形成されており、これらの突起４０６を介して固定部４０３は絶縁ハウジング２００の側方から絶縁ハウジング２００の挿入孔を通じて空間２０４に水平姿勢で圧入される。この結果、固定部４０３は、絶縁ハウジング２００の内部に設置され、それ以外の腕部４０５と基板接続部４０１は、絶縁ハウジング２００の外部に露出されたままの状態となる。また、固定部４０３と延出部４０４のほぼ中間部分には下方に突出する接触部（第３の接触部）４０２が設けられており、第２の端子５００の接触部（第４の接触部）５０４との接触圧力を高め、接触信頼性を高めることができるようになっている。
【００２０】
図５は、本発明の他の実施の形態による同軸コネクタを示す断面図である。図５に示す同軸コネクタ１００ａは、第１の端子４００ａの延出部４０４ａが、上方へ少し跳ね上がって弾性変形可能となっており、その弾性力により同軸プラグ７００ａ、７００ｂの中心導体７０１ａ、７０１ｂとの接触信頼性を高めることができるようになっている。また、中心導体７０１ａ、７０１ｂとの接触時に、延出部４０４ａが押し下げられて、第１の端子４００ａの接触部４０２ａと、第２の端子５００の接触部５０４とが擦れるため、接触部４０２ａ，５０４のクリーニング効果が得られる。なお、絶縁ハウジングは、例えば２つの構成部品に分けることが可能であるので、延出部４０４ａの様な上方に延びる弾性片を組み込むのに好適である。
【００２１】
図６は、第２の端子５００の構成例を示す斜視図である。第２の端子５００は、例えば、ベリリウム銅、りん青銅、三元銅、コルソン銅等の導電性材料の金属板を打ち抜き及び折り曲げ加工することにより形成される。第２の端子５００は、平板状の固定部５０２と、この固定部５０２の基端側から下方にＵ字状に曲成された基板接続部５０１（図２参照）と、固定部５０２から先端方向斜め上方に片持ち梁状に延出する弾性部５０３とを備えている。弾性部５０３のほぼ中心にある接触部（第２の接触部）５０９は同軸プラグ７００ｂの細い中心導体７０１ｂと当接可能であり、この当接位置より先端側に接触部（第４の接触部）５０４を有し、接触部５０４は、第１の端子４００の接触部（第３の接触部）４０２の下端と接触可能となっている。固定部５０２の側部には楔状の突起５０５が形成され、固定部５０２は突起５０５を介して第１の端子４００の圧入方向の反対側から絶縁ハウジング２００の空間２０４に水平姿勢で圧入される。弾性部５０３の両側外周部５０６は、当接位置の近傍から第２の端子５００の固定部５０２に向かって拡幅され、凹状に湾曲した形状を成している。また、弾性部５０３には、当接位置より固定部５０２側に切欠部５０７が設けられ、この切欠部５０７は、弾性部５０３に沿って延びている。また、固定部５０２には、立ち上り片５０８が設けられており、立ち上り片５０８により、横の挿入孔からの異物の侵入を防止している。
【００２２】
第２の端子５００の上面には、さらに、同軸プラグ７００ｂの細い中心導体７０１ｂの先端部が当接する位置（縦孔２０３の中心近傍）から外れた位置であって、同軸プラグ７００ａの外延部を持つ中心導体７０１ａの先端部の一部が当接する部分に絶縁皮膜（レジスト）が弾性部５０３の延出方向に直交する様に２本の並列する溝状に塗布され、２つの絶縁物６０１ａ，６０１ｂを形成している。また、第１の端子４００に近い絶縁物６０１ｂは、第１の端子４００との干渉を避けるように短くなっている。これにより、同軸プラグが挿入されていないとき、第３の接触部４０２と第４の接触部５０４の接触が妨げられないようになっている。なお、絶縁物６０１，６０２は、絶縁物を被覆する代わりに樹脂の一体成形などにより形成してもよい。また、絶縁物６０１，６０２は、絶縁物を被覆する代わりに、第２の端子５００の表面をレーザー照射等で酸化させて酸化皮膜を形成してもよい。
【００２３】
図７は、本発明の他の実施の形態による同軸コネクタの第２の端子５００の上面に設けられた絶縁物６０１を示す斜視図である。図７に示すように、絶縁物６０１の形態として種々の形をとることができる。例えば、図７（ａ）のように、第２の端子５００ａの上面に絶縁皮膜を塗布してドーナツ状の絶縁物６０１ｃを形成することも可能である。また、図７（ｂ）のように、第２の端子５００ｂの上面に樹脂を一体成形して円筒状の絶縁物６０１ｄを形成することも可能である。
【００２４】
図８は、外延部７０５を持つ同軸プラグ７００ａを同軸コネクタ１００に嵌合した状態を示す図であり、（ａ）は全体図、（ｂ）は同軸コネクタ１００近傍の拡大断面図である。図９は、外延部を持たない同軸プラグ７００ｂを同軸コネクタ１００に嵌合した状態を示す図であり、（ａ）は全体図、（ｂ）は同軸コネクタ１００近傍の拡大断面図である。検査には、少なくとも２種類の先端部を持つ同軸プラグが使用される。なお、本明細書において、中心導体の「先端部」とは、中心導体の軸方向の端部であって、同軸コネクタの縦孔に挿入される部分をいう。また、中心導体の「先端部分」とは、「先端部」の一部であって、第２の端子に当接する部分をいう。また、「外延部」とは、「先端部」の一部であって、「先端部分」の周りに設けられた環状の部分をいう。
【００２５】
アンテナなどの特性を測定するために、第１の端子４００と第２の端子５００を電気的に遮断して、第１の端子４００と同軸プラグの中心導体とを電気的に接続する場合、中心導体の先端部が大きい直径を持つ第１の同軸プラグ７００ａを使用する。図８（ｂ）に示すように、同軸プラグ７００ａの先端部分は、外延部７０５の下端位置から下方に突出する環状で断面段差状の突起７０３を有し、その突起７０３の内側には円筒状の凹部７０４が第１端子の下面と同位置まで削るように設けられている。突起７０３は、第１の端子４００の孔４０７を通り抜ける位置に設けられているが、突起７０３の外周部分の直径は孔４０７の直径より大きくなっており、外延部７０５を形成している。そして、突起７０３が、第２の端子５００上の絶縁物６０１ａ，６０１ｂに当接するようになっている。突起７０３の内側中心部分は凹部７０４となっていること、或いは、絶縁物の厚みがあることで、中心導体７０１ａは、第２の端子５００の接触部５０９と接触しない構造となっている。また、同軸プラグ７００ａの挿入時には、中心導体７０１ａが第１の端子４００の接触部４０８に当接するようになっている。なお、凹部７０４があるので、第２の端子５００からのアイソレーションが少なくなる。また、同軸プラグは、プラグの本体に対して、外部導体７０２ａ、７０２ｂがプラグ絶縁体と共に上下方向に変位可能に弾性支持されており、中心導体も独立して変移可能に弾性支持されている。
【００２６】
高周波回路などの特性を測定するために、第１の端子４００と第２の端子５００を電気的に遮断して、第２の端子５００と同軸プラグの中心導体とを電気的に接続する場合、中心導体の先端部が第１の同軸プラグ７００ａよりも小さい直径を持つ第２の同軸プラグ７００ｂを使用する。第２の同軸プラグ７００ｂの中心導体７０１ｂの先端部の直径は、第１の端子４００の孔４０７より小さく、孔４０７を通り抜けるようになっている。そして、中心導体７０１ｂの先端部が、第２の端子５００の接触部５０９に当接するようになっている。なお、アンテナと高周波回路の接続関係は、逆であってもよい。
【００２７】
同軸プラグ７００ａ、７００ｂが装着されていないときは、第２の端子５００の接触部（第４の接触部）５０４は、弾性部５０３の弾性力により第１の端子４００の接触部（第３の接触部）４０２に押し付けられて、第１の端子４００と第２の端子５００は電気的に接続された状態を保持する。
【００２８】
外延部７０５を持つ第１の同軸プラグ７００ａが装着されているときは、第１の同軸プラグ７００ａの外部導体７０２ａの下端部は外部導体３００に当接し、同軸プラグの中心導体７０１ａの先端部は、縦孔２０３に挿通する。この状態で同軸プラグ７００ａの中心導体７０１ａの先端部分の突起７０３は、弾性部５０３の絶縁物６０１に当接する。このとき、同軸プラグの中心導体の弾性力は弾性部５０３よりも強いので、弾性部５０３は同軸プラグの中心導体により押し下げられ、弾性変形し、接触部５０４が接触部４０２から離間し、第１の端子４００と第２の端子５００は電気的に切り離される。また、それと同時に、同軸プラグの中心導体の先端部の外延部７０５が、第１の端子４００の延出部４０４の孔４０７の外縁の接触部（第１の接触部）４０８に当接し、同軸プラグの中心導体と第１の端子４００が接続された状態となる。これにより、第１の端子４００から第２の端子５００へ流れていた信号を、第１の端子４００から同軸プラグの中心導体へ流して、アンテナを検査することが可能になる。
【００２９】
第２の接触部５０９、第４の接触部５０４及び絶縁物６０１の位置関係は、第３の接触部４０２と第４の接触部５０４との接続を遮断するのに好ましい位置関係となっている。すなわち、片持ち梁状の第２の端子５００の自由端側に第４の接触部５０４があり、その接触部位置よりも基部側に絶縁物６０１が当接するので、当接した部分の変位量よりも自由端側である第４の接触部５０４の変位量が大きくなる。
【００３０】
先端部の直径が小さい中心導体を持つ第２の同軸プラグ７００ｂが装着されているときは、第２の同軸プラグ７００ｂの外部導体７０２ｂの下端部は外部導体３００に当接し、同軸プラグの中心導体７０２ｂの先端部は、縦孔２０３に挿通する。この状態で同軸プラグの中心導体７０２ｂは、弾性部５０３の接触部（第２の接触部）５０９に当接する。このとき、同軸プラグの中心導体の弾性力は弾性部５０３よりも強いので、弾性部５０３は同軸プラグの中心導体により押し下げられ、弾性変形し、接触部５０４が接触部４０２から離間し、第１の端子４００と第２の端子５００は電気的に切り離されると同時に、同軸プラグの中心導体と第２の端子５００が接続された状態となる。これにより、第２の端子５００から第１の端子４００へ流れていた信号を、第２の端子５００から同軸プラグの中心導体へ流して、高周波回路を検査することが可能になる。
【００３１】
図１０は、本発明の他の実施の形態による同軸コネクタの第１の端子４００の下面と第２の端子５００の上面の両方に絶縁物６０１を設けた構成を示す斜視図であり、（ａ）は第２の端子５００ｃの構成、（ｂ）は第１の端子４００ｂと第２の端子５００ｃとを組み合わせた図である。図１０に示すように、第１の端子４００の下面と第２の端子５００の上面の両方に絶縁物６０１を設けても、同様の効果を得ることができる。この場合、第１の端子４００ｂが、直径の大きい中心導体によって押し下げられることによって、第１の端子４００ｂの下面の絶縁物６０１ｅ，６０１ｆと端子５００ｃの上面の絶縁物６０１ｇ，６０１ｈが当接し、第２の端子５００ｃも押し下げられ、第１の端子４００ｂと第２の端子５００ｃとの接触を遮断することができる。すなわち、図８に示すような突起７０３がない中心導体であっても、中心導体７０１ａ、７０１ｂによって直接、絶縁物６０１を押し下げることなく、第１の端子４００ｂと第２の端子５００ｃとの電気的接続を遮断することができる。
【００３２】
図１１は、本発明の他の実施の形態による同軸コネクタの第１の端子４００の下面に絶縁物６０１を設けた構成を示す斜視図である。図１１に示すように、絶縁物６０１ｅ，６０１ｆを端子４００ｂの下面に設けてもよい。この場合、第１の端子４００ｂが、直径の大きい中心導体によって押し下げられることによって、絶縁物６０１ｅ，６０１ｆの作用によって第２の端子５００も押し下げられ、第１の端子４００ｂと第２の端子５００との接触を遮断することができる。すなわち、図８に示すような突起７０３がない中心導体であっても、中心導体７０１ａ、７０１ｂによって直接、絶縁物６０１を押し下げることなく、第１の端子４００ｂと第２の端子５００との電気的接続を遮断することができる。
【００３３】
図１２は、図５と同様に第１の端子の他の構成例を示す斜視図である。図１２に示す第１の端子４００ｃは、孔の周辺に、同軸プラグの中心導体の外延部が当接する部分に切り起こし状の弾性変形する第１の接触部４０８ｃを備えている。これにより、同軸プラグの嵌合時に、図５の弾性部４０４ａのように端子４００ｃの延出部４０４ｃ全体が弾性変形するのではなく、接触部４０８ｃのみが弾性変形する。
【００３４】
図１３及び図１４は、本発明の他の実施の形態による同軸コネクタに同軸プラグを嵌合した状態を示す図であり、（ａ）は全体図、（ｂ）は同軸コネクタ１００ｂ近傍の拡大断面図である。図１３及び図１４に示す同軸コネクタ１００ｂは、第２の端子５００の第２の接触部５０９の位置に絶縁物６０１ｋを備えている。また、図１３に示すように、径の小さい同軸プラグ７０１ｃには、先端部分の中心（絶縁物６０１ｋが当接する部分）に凹部７０４ｃが設けられ、その周辺に突起７０３ｃが設けられている。また、図１４に示すように、径の大きい同軸プラグ７０１ｄには、先端部分の中心（絶縁物６０１ｋが当接する部分）に突起７０３ｄが設けられ、その周辺に外延部７０５ｄが設けられている。このように、同軸プラグ７０１ｄに外延部７０５ｄを設け、同軸プラグ７０１ｃから外延部を省略することにより、前記実施の形態と同様の効果を得ることができる。
【００３５】
図１５は、本発明の他の実施の形態による同軸コネクタを示す断面図であり、（ａ）は同軸コネクタのみ、（ｂ）は同軸コネクタに同軸プラグを嵌合して中心導体が同軸コネクタの孔に挿入されていない状態、（ｃ）は同軸コネクタに同軸プラグを嵌合して中心導体が同軸コネクタの孔に挿入された状態を示す。図１５に示す同軸コネクタ１００ｄは、絶縁物６０１を備えていない。その代わり、同軸プラグ７００ｅ側に絶縁物６０１ｌを備えている。同軸プラグ７００ｅの中心導体７０１ｅの先端部分には、絶縁物６０１ｌが設けられ、その周辺に外延部７０５ｅが設けられている。これにより、同軸プラグ７００ｅの中心導体７０１ｅの先端部を同軸コネクタ１００ｄの孔に挿入したとき、絶縁物６０１ｌにより第２の端子５００ｄが押し下げられ、第１の端子４００ｄと第２の端子５００ｄとの電気接続が遮断され、中心導体７０１ｅの外延部７０５ｅが第１の端子４００ｄに当接し電気接続される。このような構成により、前記実施の形態と同様の効果を得ることができる。
【００３６】
また、特に図示していないが、絶縁物６０１を第１の端子４００又は第２の端子５００の表面に設けるのではなく、第１の端子４００と第２の端子５００との間に、浮いた状態で配置してもよい。また、図７（ｂ）の絶縁物６０１ｄを第２の端子５００ｂの表面に固定することなく、第１の端子４００の孔４０７の中に可動状態で配置してもよい。この場合、同軸プラグを嵌合しないとき、すなわち第１の端子４００と第２の端子５００とが接触しているとき、円筒状の絶縁物６０１ｄの上面が、第１の端子４００の上面より上に突出するように構成すれば、先端部分が平らな太い中心導体を嵌合したとき、絶縁物６０１ｄが押し下げられて第１の端子４００と第２の端子５００と接続が遮断され、太い中心導体の外延部７０５が第１の端子４００に当接して電気的に接続される。本明細書において、「第１の端子４００と第２の端子５００との間」とは、絶縁物の一部が間に有ればよい。例えば、浮いた絶縁物の場合、絶縁物の一部が第１の端子４００の表面よりも上方に突出することも含むものである。
【００３７】
したがって、前記実施の形態の同軸コネクタによれば、高生産性及び低コストの構造で複数端子の切り替えが可能になる。また、挿着時の回転角度の制限がなく操作性良くできる。更には、絶縁皮膜（レジスト）を塗布することにより、生産効率が高いものができる。また、絶縁皮膜を塗布することにより、高さ方向に非常に制限のある構造に極めて有効である。また、絶縁物により隙間が遮られ、ごみが入りにくい。
【００３８】
以上、本発明者によってなされた発明をその実施の形態に基づき具体的に説明したが、本発明は前記実施の形態に限定されるものではなく、その要旨を逸脱しない範囲で種々変更可能であることはいうまでもない。また、前記複数の実施の形態の一部をそれぞれ適宜組み合わせてもよい。
【産業上の利用可能性】
【００３９】
本発明に係るスイッチ付き同軸コネクタは、携帯電話機、スマートフォン、ＰＤＡ、タブレット形パーソナルコンピュータ等の情報通信機器産業などの幅広い産業分野において利用可能である。
【符号の説明】
【００４０】
１００  同軸コネクタ
２００  絶縁ハウジング
２０２  凹部
２０３  縦孔
２０４  空間
３００  外部導体
３０１  上部
３０２  環状溝
４００  第１の端子
４０１  基板接続部
４０２  接触部（第３の接触部）
４０３  固定部
４０４  延出部
４０５  腕部
４０６  突起
４０７  孔
４０８  接触部（第１の接触部）
５００  第２の端子
５０１  基板接続部
５０２  固定部
５０３  弾性部
５０４  接触部（第４の接触部）
５０５  突起
５０６  両側外周部
５０７  切欠部
５０８  立ち上り片
５０９  接触部（第２の接触部）
６０１  絶縁物
７００  同軸プラグ
７０１  中心導体
７０２  外部導体
７０３  突起
７０４  凹部
７０５  外延部
【図１】
0005497836.tif 000002
【図２】
0005497836.tif 000003
【図３】
0005497836.tif 000004
【図４】
0005497836.tif 000005
【図５】
0005497836.tif 000006
【図６】
0005497836.tif 000007
【図７】
0005497836.tif 000008
【図８】
0005497836.tif 000009
【図９】
0005497836.tif 000010
【図１０】
0005497836.tif 000011
【図１１】
0005497836.tif 000012
【図１２】
0005497836.tif 000013
【図１３】
0005497836.tif 000014
【図１４】
0005497836.tif 000015
【図１５】
0005497836.tif 000016